(57)【要約】【課題】複合材同士の締結をより強固なものとすることができる複合材の締結装置等を提供する。【解決手段】厚さ方向に重ね合わされた複合材１１同士を締結する複合材の締結装置２０であって、強化繊維に樹脂を含浸させて成形されたピン１２が使用されており、複合材１１を挟んで、厚さ方向の両側に設けられる一対のヘッド２１と、一対のヘッド２１により挟まれた複合材１１を加熱して溶融させる加熱部２５と、一方のヘッド２１ｂに設けられ、加熱部２５により溶融した複合材１１の溶融部に対して、ピン１２を厚さ方向に打ち込むピン打ち部２８と、を備え、ピン打ち部２８は、一方のヘッド２１ｂから他方のヘッド２１ａへ向けてピン１２を打ち込むことで、ピン１２の他方側の端部を他方のヘッド２１ａに当接させて変形させ、変形させたピン１２の他方側の端部を、他方側抜け止め部１２ｂとして形成する。【選択図】図４
2019104184.tif 000002
【特許請求の範囲】
【請求項１】
厚さ方向に重ね合わされた複合材同士を締結する複合材の締結装置であって、
強化繊維に樹脂を含浸させて成形されたピンが使用されており、
前記複合材を挟んで、前記厚さ方向の両側に設けられる一対のヘッドと、
一対の前記ヘッドにより挟まれた前記複合材を加熱して溶融させる加熱部と、
一方の前記ヘッドに設けられ、前記加熱部により溶融した前記複合材の溶融部に対して、前記ピンを前記厚さ方向に打ち込むピン打ち部と、を備え、
前記ピン打ち部は、一方の前記ヘッドから他方の前記ヘッドへ向けて前記ピンを打ち込むことで、前記ピンの他方側の端部を他方の前記ヘッドに当接させて変形させ、変形させた前記ピンの他方側の端部を、他方側抜け止め部として形成することを特徴とする複合材の締結装置。
【請求項２】
他方の前記ヘッドは、前記ピンが当接する当接面に形成され、前記ピンの他方側の端部を所定の方向に曲げる曲げガイドを有することを特徴とする請求項１に記載の複合材の締結装置。
【請求項３】
厚さ方向に重ね合わされた複合材同士を締結する複合材の締結装置であって、
強化繊維に樹脂を含浸させて成形されたピンが使用されており、
前記複合材を挟んで、前記厚さ方向の両側に設けられる一対のヘッドと、
一対の前記ヘッドにより挟まれた前記複合材を加熱して溶融させる加熱部と、
一方の前記ヘッドに設けられ、前記加熱部により溶融した前記複合材の溶融部に対して、前記ピンを前記厚さ方向に打ち込むピン打ち部と、を備え、
前記ピン打ち部は、一方の前記ヘッドから他方の前記ヘッドへ向けて前記ピンを打ち込むことで、前記ピンの他方側の端部を前記複合材の内部で変形させ、変形させた前記ピンの他方側の端部を、他方側抜け止め部として形成することを特徴とする複合材の締結装置。
【請求項４】
前記ピン打ち部は、前記ピンの一方側の端部を前記複合材から露出させて打ち込み、
一方の前記ヘッドは、前記複合材から露出する前記ピンの一方側の端部が変形するように移動し、変形させた前記ピンの一方側の端部を、一方側抜け止め部として形成することを特徴とする請求項１から３のいずれか１項に記載の複合材の締結装置。
【請求項５】
前記ピンに含まれる前記樹脂及び前記複合材に含まれる樹脂は、熱可塑性樹脂及び熱硬化性樹脂の少なくとも一方を含むことを特徴とする請求項１から４のいずれか１項に記載の複合材の締結装置。
【請求項６】
前記ピンに含まれる前記樹脂と、前記複合材に含まれる樹脂とは、同じ樹脂であることを特徴とする請求項１から５のいずれか１項に記載の複合材の締結装置。
【請求項７】
厚さ方向に重ね合わされた複合材同士を締結する複合材の締結方法であって、
強化繊維に樹脂を含浸させて成形されたピンが使用されており、
前記厚さ方向の両側から、一対のヘッドにより前記複合材を挟み込む挟持工程と、
一対の前記ヘッドにより挟まれた前記複合材を加熱して溶融させる加熱工程と、
前記加熱部により溶融した前記複合材の溶融部に対して、前記ピンを前記厚さ方向に打ち込むピン打ち工程と、を備え、
前記ピン打ち工程では、一方の前記ヘッドから他方の前記ヘッドへ向けて前記ピンを打ち込むことで、前記ピンの他方側の端部を他方の前記ヘッドに当接させて変形させ、変形させた前記ピンの他方側の端部を、他方側抜け止め部として形成することを特徴とする複合材の締結方法。
【請求項８】
厚さ方向に重ね合わされた複合材同士を締結する複合材の締結方法であって、
強化繊維に樹脂を含浸させて成形されたピンが使用されており、
前記厚さ方向の両側から、一対のヘッドにより前記複合材を挟み込む挟持工程と、
一対の前記ヘッドにより挟まれた前記複合材を加熱して溶融させる加熱工程と、
前記加熱部により溶融した前記複合材の溶融部に対して、前記ピンを前記厚さ方向に打ち込むピン打ち工程と、を備え、
前記ピン打ち工程では、一方の前記ヘッドから他方の前記ヘッドへ向けて前記ピンを打ち込むことで、前記ピンの他方側の端部を前記複合材の内部で変形させ、変形させた前記ピンの他方側の端部を、他方側抜け止め部として形成することを特徴とする複合材の締結方法。
【請求項９】
厚さ方向に重ね合わされた複合材と、
強化繊維に樹脂を含浸させて成形され、重ね合わされた前記複合材に打ち込まれることで、前記複合材同士を締結するピンと、を備え、
前記ピンは、
一方側の端部を変形させることで形成され、前記複合材からの前記ピンの抜け止めとなる一方側抜け止め部と、
他方側の端部を変形させることで形成され、前記複合材からの前記ピンの抜け止めとなる他方側抜け止め部と、を有することを特徴とする複合構造体。
【発明の詳細な説明】
【技術分野】
【０００１】
本発明は、複合材同士を締結する複合材の締結装置、複合材の締結方法及び複合構造体に関するものである。
【背景技術】
【０００２】
従来、複合材積層構造物の厚さ方向にピンを差し込んで層間性能を補強したり、複数の積層部材を連結したりする装置が知られている（例えば、特許文献１参照）。この装置で用いられるピンは、複合材積層構造物の厚さに合わせた長さとなっており、このピンの抜け落ちを防止するために、複合材積層構造物の下面にフィルムが付着されている。
【先行技術文献】
【特許文献】
【０００３】
【特許文献１】特表２０１０−５２２６５５号公報
【発明の概要】
【発明が解決しようとする課題】
【０００４】
特許文献１の装置では、ピンが複合材積層構造物の厚さに合わせた長さとなっていることから、ピンの抜け落ちを防止するためには、複合材積層構造物の下面にフィルムを付着する必要があり、作業が煩雑となってしまう。また、一般的に、ピンは、強化繊維に熱硬化性樹脂を含浸させて成形されたものであることから、ピンを折り曲げることができず、ピンに抜け止め部を形成することが困難であった。
【０００５】
そこで、本発明は、複合材同士の締結をより強固なものとすることができる複合材の締結装置、複合材の締結方法及び複合構造体を提供することを課題とする。
【課題を解決するための手段】
【０００６】
本発明の複合材の締結装置は、厚さ方向に重ね合わされた複合材同士を締結する複合材の締結装置であって、強化繊維に樹脂を含浸させて成形されたピンが使用されており、前記複合材を挟んで、前記厚さ方向の両側に設けられる一対のヘッドと、一対の前記ヘッドにより挟まれた前記複合材を加熱して溶融させる加熱部と、一方の前記ヘッドに設けられ、前記加熱部により溶融した前記複合材の溶融部に対して、前記ピンを前記厚さ方向に打ち込むピン打ち部と、を備え、前記ピン打ち部は、一方の前記ヘッドから他方の前記ヘッドへ向けて前記ピンを打ち込むことで、前記ピンの他方側の端部を他方の前記ヘッドに当接させて変形させ、変形させた前記ピンの他方側の端部を、他方側抜け止め部として形成することを特徴とする。
【０００７】
また、本発明の複合材の締結方法は、厚さ方向に重ね合わされた複合材同士を締結する複合材の締結方法であって、強化繊維に樹脂を含浸させて成形されたピンが使用されており、前記厚さ方向の両側から、一対のヘッドにより前記複合材を挟み込む挟持工程と、一対の前記ヘッドにより挟まれた前記複合材を加熱して溶融させる加熱工程と、前記加熱部により溶融した前記複合材の溶融部に対して、前記ピンを前記厚さ方向に打ち込むピン打ち工程と、を備え、前記ピン打ち工程では、一方の前記ヘッドから他方の前記ヘッドへ向けて前記ピンを打ち込むことで、前記ピンの他方側の端部を他方の前記ヘッドに当接させて変形させ、変形させた前記ピンの他方側の端部を、他方側抜け止め部として形成することを特徴とする。
【０００８】
この構成によれば、加熱されることによって溶融した複合材の溶融部にピンを打ち込み、ピンの他方側の端部を他方側のヘッドに当接させて変形させることで、ピンに他方側抜け止め部を形成することができる。このため、他方側抜け止め部によりピンが複合材から抜けにくくなるため、ピンによる複合材同士の締結をより強固なものにすることができる。なお、他方側抜け止め部は、ピンの他方側の端部を一方向に折り曲げて変形させることで形成してもよいし、ピンの他方側の端部を放射方向に拡がるように変形させることで形成してもよい。
【０００９】
また、他方の前記ヘッドは、前記ピンが当接する当接面に形成され、前記ピンの他方側の端部を所定の方向に曲げる曲げガイドを有することが、好ましい。
【００１０】
この構成によれば、他方のヘッドの当接面にピンを当接させることで、曲げガイドに沿って打ち込まれるピンの他方側の端部を、好適に所定の方向に曲げることができる。
【００１１】
本発明の他の複合材の締結装置は、厚さ方向に重ね合わされた複合材同士を締結する複合材の締結装置であって、強化繊維に樹脂を含浸させて成形されたピンが使用されており、前記複合材を挟んで、前記厚さ方向の両側に設けられる一対のヘッドと、一対の前記ヘッドにより挟まれた前記複合材を加熱して溶融させる加熱部と、一方の前記ヘッドに設けられ、前記加熱部により溶融した前記複合材の溶融部に対して、前記ピンを前記厚さ方向に打ち込むピン打ち部と、を備え、前記ピン打ち部は、一方の前記ヘッドから他方の前記ヘッドへ向けて前記ピンを打ち込むことで、前記ピンの他方側の端部を前記複合材の内部で変形させ、変形させた前記ピンの他方側の端部を、他方側抜け止め部として形成することを特徴とする。
【００１２】
また、本発明の他の複合材の締結方法は、厚さ方向に重ね合わされた複合材同士を締結する複合材の締結方法であって、強化繊維に樹脂を含浸させて成形されたピンが使用されており、前記厚さ方向の両側から、一対のヘッドにより前記複合材を挟み込む挟持工程と、一対の前記ヘッドにより挟まれた前記複合材を加熱して溶融させる加熱工程と、前記加熱部により溶融した前記複合材の溶融部に対して、前記ピンを前記厚さ方向に打ち込むピン打ち工程と、を備え、前記ピン打ち工程では、一方の前記ヘッドから他方の前記ヘッドへ向けて前記ピンを打ち込むことで、前記ピンの他方側の端部を前記複合材の内部で変形させ、変形させた前記ピンの他方側の端部を、他方側抜け止め部として形成することを特徴とする。
【００１３】
この構成によれば、加熱されることによって溶融した複合材の溶融部にピンを打ち込み、ピンの他方側の端部を複合材の内部において変形させることで、ピンに他方側抜け止め部を形成することができる。このため、他方側抜け止め部によりピンが複合材から抜けにくくなるため、ピンによる複合材同士の締結をより強固なものにすることができる。なお、他方側抜け止め部は、複合材の内部で折り曲がることによりアンカー効果を発揮可能な形状とすることがよい。
【００１４】
また、前記ピン打ち部は、前記ピンの一方側の端部を前記複合材から露出させて打ち込み、一方の前記ヘッドは、前記複合材から露出する前記ピンの一方側の端部が変形するように移動し、変形させた前記ピンの一方側の端部を、一方側抜け止め部として形成することが、好ましい。
【００１５】
この構成によれば、一方のヘッドを移動させ、ピンの一方側の端部を変形させることで、ピンに一方側抜け止め部を形成することができる。このため、一方側抜け止め部によりピンが複合材から抜けにくくなるため、ピンによる複合材同士の締結をさらに強固なものにすることができる。
【００１６】
また、前記ピンに含まれる前記樹脂及び前記複合材に含まれる樹脂は、熱可塑性樹脂及び熱硬化性樹脂の少なくとも一方を含むことが、好ましい。
【００１７】
この構成によれば、ピンの樹脂が熱可塑性樹脂で、複合材の樹脂が熱可塑性樹脂となるパターン、ピンの樹脂が熱可塑性樹脂で、複合材の樹脂が熱硬化性樹脂となるパターン、ピンの樹脂が熱硬化性樹脂で、複合材の樹脂が熱可塑性樹脂となるパターン、ピンの樹脂が熱硬化性樹脂で、複合材の樹脂が熱硬化性樹脂となるパターンの、４パターンがある。これらのパターンにおいて、加熱部によりピン及び複合材を適切に溶融させる加熱条件とすることで、複合材の溶融部におけるピンの打ち込みを好適に行うことができ、また、ピンの他方側抜け止め部の形成を好適に行うことができる。例えば、複合材の樹脂が熱硬化性樹脂である場合、所定の部位を熱硬化させる際にピンを打ち込むことで、熱硬化と同時に複合材の締結を行うことができる。
【００１８】
また、前記ピンに含まれる前記樹脂と、前記複合材に含まれる樹脂とは、同じ樹脂であることが、好ましい。
【００１９】
この構成によれば、複合材とピンとを好適に一体化させることができる。
【００２０】
本発明の複合構造体は、厚さ方向に重ね合わされた複合材と、強化繊維に樹脂を含浸させて成形され、重ね合わされた前記複合材に打ち込まれることで、前記複合材同士を締結するピンと、を備え、前記ピンは、一方側の端部を変形させることで形成され、前記複合材からの前記ピンの抜け止めとなる一方側抜け止め部と、他方側の端部を変形させることで形成され、前記複合材からの前記ピンの抜け止めとなる他方側抜け止め部と、を有することを特徴とする。
【００２１】
この構成によれば、ピンによる複合材同士の締結が強固となる複合構造体を提供することができる。なお、他方側抜け止め部は、複合材の外部に形成されてもよいし、複合材の内部に形成されてもよい。
【図面の簡単な説明】
【００２２】
【図１】図１は、実施形態１に係る複合構造体の模式図である。
【図２】図２は、実施形態１に係る締結装置の模式図である。
【図３】図３は、実施形態１に係る締結装置の動作を示す説明図である。
【図４】図４は、実施形態１に係る締結装置の動作を示す説明図である。
【図５】図５は、実施形態２に係る締結装置のヘッドを示す模式図である。
【図６】図６は、実施形態３に係る複合構造体の模式図である。
【図７】図７は、実施形態４に係る締結装置の動作を示す説明図である。
【発明を実施するための形態】
【００２３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。さらに、以下に記載した構成要素は適宜組み合わせることが可能であり、また、実施形態が複数ある場合には、各実施形態を組み合わせることも可能である。
【００２４】
［実施形態１］
実施形態１に係る締結装置２０は、厚さ方向に重ね合わせた複合材同士を、ピンを用いて締結するものである。図１は、実施形態１に係る複合構造体の模式図である。図２は、実施形態１に係る締結装置の模式図である。図３及び図４は、実施形態１に係る締結装置の動作を示す説明図である。先ず、実施形態１の締結装置２０の説明に先立ち、図１を参照して、ピンにより複合材同士を締結した複合構造体１０について説明する。
【００２５】
複合構造体１０は、厚さ方向に重ね合わせた複数の複合材１１と、複数の複合材１１を締結するピン１２とを備えている。なお、実施形態１では、複数の複合材１１として、一対（２つ）の複合材１１を重ね合わせているが、３つ以上の複合材１１を重ね合わせてもよく、特に限定されない。
【００２６】
複合材１１は、強化繊維に樹脂を含浸させたものであり、実施形態１では、板状に形成されている。強化繊維としては、例えば、炭素繊維が用いられるが、炭素繊維に限定されず、その他のプラスチック繊維、ガラス繊維、天然繊維又は金属繊維でもよい。また、樹脂としては、熱可塑性樹脂が用いられるが、加熱することにより溶融する樹脂であれば特に限定されず、熱硬化性樹脂を用いてもよい。熱可塑性樹脂としては、例えば、ポリエーテルエーテルケトン（ＰＥＥＫ）、ポリエーテルケトンケトン（ＰＥＫＫ）、及びポリフェニレンサルファイド（ＰＰＳ）等である。また、強化繊維基材に熱硬化性樹脂を含浸させた熱硬化プリプレグを用いてもよい。
【００２７】
また、一対の複合材１１は、板面内において、厚さ方向に重複して設けられる。一対の複合材１１が重ね合わされる面同士、つまり、一対の複合材１１が厚さ方向において対向する面同士は、溶着されることで接合している。
【００２８】
ピン１２は、強化繊維に樹脂を含浸させたものであり、棒状に形成されている。ピン１２は、一対の複合材１１が重ね合わされる重複部位に打ち込まれている。ピン１２は、複合材１１と同様の強化繊維及び樹脂を用いてもよいし、締結に適した強化繊維及び樹脂を用いてもよく、特に限定されない。また、ピン１２に含まれる樹脂は、加熱することにより溶融する樹脂であればよい。このピン１２は、一対の複合材１１の重複部位に挿通される挿通部位１２ａと、他方側（図１の上側）の端部に形成される他方側抜け止め部１２ｂと、一方側（図１の下側）の端部に形成される一方側抜け止め部１２ｃとを有する。挿通部位１２ａは、複合材１１の厚さ方向に沿って設けられる。他方側抜け止め部１２ｂは、挿通部位１２ａに対して屈曲して設けられ、他方側の複合材１１ａの板面に沿って設けられる。一方側抜け止め部１２ｃは、挿通部位１２ａに対して屈曲して設けられ、一方側の複合材１１ｂの板面に沿って設けられる。また、他方側抜け止め部１２ｂと一方側抜け止め部１２ｃとが屈曲する方向は、挿通部位１２ａに対して相互に逆方向となっている。なお、実施形態１では、他方側抜け止め部１２ｂと一方側抜け止め部１２ｃとが屈曲する方向を逆方向としたが、屈曲する方向については特に限定されない。
【００２９】
上記の複合構造体１０は、ピン１２に他方側抜け止め部１２ｂ及び一方側抜け止め部１２ｃが設けられていることから、ピン１２が一対の複合材１１から抜け落ちることを抑制し、ピン１２による一対の複合材１１の連結を強固なものとしている。
【００３０】
次に、図２を参照して、実施形態１に係る締結装置２０について説明する。締結装置２０は、一対のヘッド２１と、加熱部２５と、ピン打ち部２８と、を備えている。
【００３１】
一対のヘッド２１は、重ね合わされた一対の複合材１１の重複部位を、厚さ方向の両側から挟み込んで配置される。一対のヘッド２１は、例えば、鉛直方向の上側及び下側に設けられている。つまり、一対の複合材１１は、上側のヘッド２１ａと下側のヘッド２１ｂとの間に挟まれる。このため、一対の複合材１１は、その厚さ方向が鉛直方向となる。
【００３２】
加熱部２５は、一対のヘッド２１により挟まれた一対の複合材１１の重複部位を加熱することで、重複部位における樹脂を溶融させている。加熱部２５は、一対のヘッド２１の内部にそれぞれ設けられるヒータ２５ａ，２５ｂを含む構成となっている。つまり、上側のヘッド２１ａの内部に、ヒータ２５ａが設けられ、下側のヘッド２１ｂの内部に、ヒータ２５ｂが設けられる。なお、加熱部２５は、一対の複合材１１の重複部位を加熱する構成であれば、いずれの構成であってもよく、例えば、磁場加熱等を適用してもよい。
【００３３】
ピン打ち部２８は、一対の複合材１１の重複部位に対して、下側のヘッド２１ｂから上側のヘッド２１ａへ向かって、ピン１２を打ち込むものである。ピン打ち部２８は、下側のヘッド２１ｂの内部に設けられている。ピン打ち部２８は、ピン１２を複合材１１へ向けて射出させるための複数の射出孔２３を含んで構成されている。複数の射出孔２３は、下側のヘッド２１ｂの複合材に当接する当接面から、複合材１１の厚さ方向を深さ方向として形成されている。そして、ピン打ち部２８は、図示しない押出手段によりピン１２を射出孔２３から押し出すことで、ピン１２を複合材１１へ向けて射出する。
【００３４】
次に、図２から図４を参照して、締結装置２０を用いて、厚さ方向に重ね合わされた複合材同士を締結する複合材の締結方法について説明する。先ず、図２に示すように、締結装置２０は、一対のヘッド２１により、重ね合わされた一対の複合材１１の重複部位を、厚さ方向の両側から挟み込む（ステップＳ１１：挟持工程）。この後、締結装置２０は、加熱部２５により一対のヘッド２１を加熱することで、一対の複合材１１の重複部位を加熱して溶融させる（ステップＳ１２：加熱工程）。このため、一対の複合材１１の重複部位は、溶融部となる。
【００３５】
続いて、締結装置２０は、下側のヘッド２１ｂに設けられるピン打ち部２８により、複数の射出孔２３から複数のピン１２を射出する（ステップＳ１３：ピン打ち工程）。射出されたピン１２は、下側のヘッド２１ｂから上側のヘッド２１ａへ向かって、一対の複合材１１の重複部位に挿通される。重複部位を通過したピン１２は、図３に示すように、その他方側の端部が、上側ヘッド２１ａに突き当たることで屈曲し、上側のヘッド２１ａの複合材１１に当接する当接面に沿って変形する。そして、変形したピン１２の他方側の端部は、他方側抜け止め部１２ｂとして機能する。一方で、射出後のピン１２は、その一方側の端部が、複合材１１から露出し、射出孔２３に格納された状態となる。締結装置２０は、図４に示すように、下側のヘッド２１ｂを、複合材１１の板面に沿って、他方側抜け止め部１２ｂが延在する方向とは反対側の方向へ移動させる。そして、下側のヘッド２１ｂが移動することにより、ピン１２の一方側の端部は、複合材１１の板面に沿って屈曲し、一方側抜け止め部１２ｃとして機能する。
【００３６】
以上のように、実施形態１によれば、加熱されることによって溶融した複合材１１の重複部位にピン１２を打ち込み、ピン１２の他方側の端部を上側のヘッド２１ａに当接させて変形させることで、ピン１２に他方側抜け止め部１２ｂを形成することができる。このため、他方側抜け止め部１２ｂによりピン１２が複合材１１から抜けにくくなるため、ピン１２による複合材１１同士の締結をより強固なものにすることができる。
【００３７】
また、実施形態１によれば、下側のヘッド２１ｂを移動させ、ピン１２の一方側の端部を変形させることで、ピン１２に一方側抜け止め部１２ｃを形成することができる。このため、一方側抜け止め部１２ｃによりピン１２が複合材１１から抜けにくくなるため、ピン１２による複合材１１同士の締結をさらに強固なものにすることができる。
【００３８】
また、実施形態１によれば、ピン１２に含まれる樹脂及び複合材１１に含まれる樹脂を熱可塑性樹脂とすることで、加熱部２５によりピン１２及び複合材１１を適切に溶融させることができる。このため、複合材１１の重複部位（溶融部）におけるピン１２の打ち込みを好適に行うことができ、また、ピン１２の他方側抜け止め部１２ｂの形成を好適に行うことができる。
【００３９】
また、実施形態１によれば、ピン１２に含まれる樹脂と、複合材１１に含まれる樹脂とを同じ樹脂とすることで、複合材１１とピン１２とを好適に一体化させることができる。
【００４０】
また、実施形態１によれば、他方側抜け止め部１２ｂ及び一方側抜け止め部１２ｃが形成されたピン１２により、一対の複合材１１を強固に締結できるため、ピン１２による複合材１１同士の締結が強固となる複合構造体１０を提供することができる。
【００４１】
なお、実施形態１では、ピン１２の他方側の端部を上側のヘッド２１ａに当接させて変形させることで、ピン１２に他方側抜け止め部１２ｂを形成したが、ピン１２の他方側の端部を上側のヘッド２１ａに当接させず、複合材１１中に留めてもよい。この場合においても、ピン１２による複合材１１同士の締結を行うことができる。
【００４２】
［実施形態２］
次に、図５を参照して、実施形態２に係る締結装置３０について説明する。なお、実施形態２では、重複した記載を避けるべく、実施形態１と異なる部分について説明し、実施形態１と同様の構成である部分については、同じ符号を付して説明する。図５は、実施形態２に係る締結装置のヘッドを示す模式図である。
【００４３】
実施形態２の締結装置３０は、実施形態１の締結装置２０の構成に加え、上側のヘッド２１ａの複合材１１が当接する当接面に、ピン１２を所定の方向に曲げる曲げガイド３１が形成されている。
【００４４】
曲げガイド３１は、上側のヘッド２１ａの当接面に対して窪んで形成される溝である。当接面の曲げガイド３１に突き当たるピン１２は、その他方側の端部が、所定の方向に屈曲する。
【００４５】
以上のように、実施形態２によれば、上側のヘッド２１ａの当接面にピン１２を当接させることで、曲げガイド３１に沿って打ち込まれるピン１２の他方側の端部を、好適に所定の方向に曲げることができる。このため、ピン１２の形状をコントロールし易いものにすることができる。
【００４６】
なお、実施形態２の曲げガイド３１は、ピン１２の他方側の端部を所定の方向に屈曲させる形状となっているが、この形状に特に限定されない。
【００４７】
［実施形態３］
次に、図６を参照して、実施形態３に係る複合構造体４０について説明する。なお、実施形態３では、重複した記載を避けるべく、実施形態１及び２と異なる部分について説明し、実施形態１及び２と同様の構成である部分については、同じ符号を付して説明する。図６は、実施形態３に係る複合構造体の模式図である。
【００４８】
実施形態３に係る複合構造体４０は、ピン４１の形状が、実施形態１のピン１２の形状と異なっている。具体的に、ピン４１は、一対の複合材１１の重複部位に挿通される挿通部位４１ａと、他方側（図６の上側）の端部に形成される他方側抜け止め部４１ｂと、一方側（図６の下側）の端部に形成される一方側抜け止め部４１ｃとを有する。挿通部位４１ａは、実施形態１と同様に、複合材１１の厚さ方向に沿って設けられる。他方側抜け止め部４１ｂは、挿通部位１２ａを中心に、他方側の複合材１１ａの板面に沿って放射状に広がって設けられる。一方側抜け止め部４１ｃは、他方側抜け止め部４１ｂと同様に、挿通部位１２ａを中心に、一方側の複合材１１ｂの板面に沿って放射状に広がって設けられる。
【００４９】
上記のような他方側抜け止め部４１ｂ及び一方側抜け止め部４１ｃを、実施形態１の締結装置２０を用いて形成する場合、締結装置２０は、例えば、各ヘッド２１ａ，２１ｂを、複合材１１の板面に対して叩くように動作させ、ピン４１の端部を潰すことで、ピン４１の端部を放射状に広がる形状とすることができる。また、上記のような他方側抜け止め部４１ｂ及び一方側抜け止め部４１ｃを、実施形態２の締結装置３０を用いて形成する場合、締結装置３０は、例えば、曲げガイド３１を、ピン４１の端部を放射状に広げることが可能な形状とする。
【００５０】
［実施形態４］
次に、図７を参照して、実施形態４に係る締結装置５０について説明する。なお、実施形態４でも、重複した記載を避けるべく、実施形態１から３と異なる部分について説明し、実施形態１から３と同様の構成である部分については、同じ符号を付して説明する。図７は、実施形態４に係る締結装置の動作を示す説明図である。
【００５１】
実施形態４の締結装置５０は、実施形態１のピン打ち工程Ｓ１３に代えて、他方側の複合材１１ａの内部で他方側抜け止め部１２ｂを形成するピン打ち工程Ｓ１３ａを行っている。なお、締結装置５０は、実施形態１の締結装置２０と同様の構成となっており、ピン１２の他方側の端部を他方側の複合材１１ａの内部で変形させるように、ピン打ち部２８からピン１２を射出する。
【００５２】
具体的に、ピン打ち工程Ｓ１３ａでは、締結装置５０のピン打ち部２８の複数の射出孔２３から複数のピン１２を射出する。射出されたピン１２は、下側のヘッド２１ｂから上側のヘッド２１ａへ向かい、その他方側の端部が、他方側の複合材１１ａの内部で変形する。変形したピン１２の他方側の端部は、他方側抜け止め部１２ｂとして機能する。なお、図７では、他方側抜け止め部１２ｂが一方向に屈曲する形状として図示しているが、この形状に特に限定されず、アンカー効果を発揮可能な形状であれば、いずれの形状であってもよい。ここで、ピン１２の他方側の端部を、他方側の複合材１１ａの内部で変形させる場合、ピン打ち工程Ｓ１３ａの前工程となる加熱工程Ｓ１２では、上側のヘッド２１ａにより他方側の複合材１１ａの表面を加熱せずに、下側のヘッド２１ｂにより一方側の複合材１１ｂを加熱することがよい。これにより、他方側の複合材１１ａの表面が軟化することがないことから、ピン１２が複合材１１の内部で変形し易いものにできる。
【００５３】
以上のように、実施形態４によれば、加熱されることによって溶融した複合材１１の重複部位にピン１２を打ち込み、ピン１２の他方側の端部を複合材１１の内部で変形させることで、ピン１２に他方側抜け止め部１２ｂを形成することができる。このため、他方側抜け止め部１２ｂによりピン１２が複合材１１から抜けにくくなるため、ピン１２による複合材１１同士の締結をより強固なものにすることができる。
【符号の説明】
【００５４】
１０  複合構造体
１１  複合材
１２  ピン
１２ａ  挿通部位
１２ｂ  他方側抜け止め部
１２ｃ  一方側抜け止め部
２０  締結装置
２１  ヘッド
２３  射出孔
２５  加熱部
２５ａ，２５ｂ  ヒータ
２８  ピン打ち部
３０  締結装置（実施形態２）
３１  曲げガイド
４０  複合構造体（実施形態３）
４１  ピン
４１ａ  挿通部位
４１ｂ  他方側抜け止め部
４１ｃ  一方側抜け止め部
５０  締結装置（実施形態４）
【図１】
2019104184.tif 000003
【図２】
2019104184.tif 000004
【図３】
2019104184.tif 000005
【図４】
2019104184.tif 000006
【図５】
2019104184.tif 000007
【図６】
2019104184.tif 000008
【図７】
2019104184.tif 000009